(57)【要約】      （修正有）【課題】婚礼に際して、住宅の建築と婚礼行事とを同時に一括受注することができるコンピュータシステムを提供する。【解決手段】ネットワークを通じて通信可能な受注サーバ、１又は２以上の建設業者サーバ、１又は２以上の婚礼業者サーバから構成されるコンピュータシステムであって、受注サーバは、ユーザ端末からの住宅建築に関する希望条件の入力に応じて、建設業者サーバから取得されるデータに基づき、建築プランを作成する建築プラン作成部と、ユーザ端末からの婚礼行事に関する希望条件の入力に応じて、婚礼業者サーバから取得されるデータに基づき、婚礼行事プランを作成する婚礼行事プラン作成部と、ユーザ端末から指示に応じて、建築プラン作成部により作成された建築プラン及び婚礼行事プラン作成部により作成された婚礼行事プランに基づいた住宅建築及び婚礼行事催行を一括受注する受注処理部とを有する。【選択図】図４
2016001375.tif 000002
【特許請求の範囲】
【請求項１】
ネットワークを通じて通信可能な受注サーバ、１又は２以上の建設業者サーバ、１又は２以上の婚礼業者サーバから構成されるコンピュータシステムであって、
前記受注サーバは、
ユーザ端末からの住宅建築に関する希望条件の入力に応じて、前記建設業者サーバから取得されるデータに基づき、建築プランを作成する建築プラン作成部と、
ユーザ端末からの婚礼行事に関する希望条件の入力に応じて、前記婚礼業者サーバから取得されるデータに基づき、婚礼行事プランを作成する婚礼行事プラン作成部と、
ユーザ端末から指示に応じて、前記建築プラン作成部により作成された建築プラン及び前記婚礼行事プラン作成部により作成された婚礼行事プランに基づいた住宅建築及び婚礼行事催行を一括受注する受注処理部と
を有することを特徴とするウェディング住宅建築受注システム。
【請求項２】
前記受注サーバは、
前記建築プラン作成部により作成された建築プランのシミュレーションを前記ユーザ端末において利用可能な形式で提供する建築シミュレーション部と、
前記婚礼行事プラン作成部により作成された婚礼行事プランのシミュレーションを前記ユーザ端末において利用可能な形式で提供する婚礼行事シミュレーション部と、
を有することを特徴とする請求項１に記載のウェディング住宅建築受注システム。
【請求項３】
前記受注サーバは、
前記建築プラン作成部により作成された建築プランに基づく住宅建築の費用見積り及び前記婚礼行事プラン作成部により作成された婚礼行事の費用見積りを作成し前記ユーザ端末に提示する見積り作成部
を有することを特徴とする請求項１又は２に記載のウェディング住宅建築受注システム。
【請求項４】
前記受注サーバの見積り作成部は、
前記建築プラン作成部により作成された建築プランに含まれる情報を前記建設業者サーバに送信し、当該建設業者サーバから費用見積りの基礎となるデータを取得して住宅建築の費用見積りを作成し、
前記婚礼行事プラン作成部により作成された婚礼行事プランに含まれる情報を前記婚礼業者サーバに送信し、当該婚礼業者サーバから費用見積りの基礎となるデータを取得して婚礼行事の費用見積りを作成する
ことを特徴とする請求項３に記載のウェディング住宅建築受注システム。
【請求項５】
前記受注サーバは、
前記建築プラン作成部により作成された建築プラン及び前記婚礼行事プラン作成部により作成された婚礼行事プランに基づいて、前記受注処理部により受注した住宅建築の施工及び婚礼行事の催行の進行を管理する進行管理部
を有することを特徴とする請求項１から４のいずれか１項に記載のウェディング住宅建築受注システム。
【請求項６】
前記受注サーバは、
前記受注処理部により受注した住宅建築及び婚礼行事催行の費用支払の決済処理を行う決済処理部
を有することを特徴とする請求項１から５のいずれか１項に記載のウェディング住宅建築受注システム。
【請求項７】
前記建築プラン作成部による建築プランの作成においては、ユーザ端末により、少なくとも住宅の間取り、工法、材料、設備、内装、外装に関する希望を指定されることを特徴とする請求項１から６のいずれか１項に記載のウェディング住宅建築受注システム。
【請求項８】
前記婚礼行事プラン作成部による婚礼行事プランの作成においては、ユーザ端末により、少なくとも婚礼行事の開催日時、会場、参加者数、様式、予算に関する希望を指定されることを特徴とする請求項１から７のいずれか１項に記載のウェディング住宅建築受注システム。
【発明の詳細な説明】
【技術分野】
【０００１】
本発明は、婚礼に際して、住宅の建築と婚礼行事（結婚式、披露宴、パーティー、祝い会などあらゆる種類の婚姻に関する祝賀行事を含む、以下同じ）とを同時に一括受注することができるコンピュータシステムに関するものである。
【背景技術】
【０００２】
新築住宅の取引形態として、土地とその土地上に完成した住宅がセットで販売される建売住宅と、建築主の注文に基づき設計され建築される注文住宅とがある。
建売住宅は、一般的には、まとまった土地を区画に分けて住宅を複数棟建てて一棟ずつ販売するものであり、間取り、工法、材料、設備、内装、外装などは共通の仕様となる。これに対して、注文住宅は、建築主が所望の内容の住宅の設計及び施工を建築士、工務店、住宅建設会社などに依頼して建築するものであり、間取り、工法、材料、設備、内装、外装などは建築主が自由に選定することができる。
近年では、ライフスタイルの多様化により、自らのライフスタイルに合わせた住居への関心が強く、注文住宅のニーズが高まっている。そこで、注文住宅の建築受注の場面においても、できる限り多様な選択肢の中から建築主の考えを最大限に反映させた住宅が造られるように様々な技術が提案されている。
【０００３】
特許文献１には、建築主が自ら建築プランを作成できる建築プラン作成用基本プログラムをインターネットを介して提供し、当該建築プランに基づいて建築者が住宅を設計することで、建築主のイメージ通りの住宅を建てることを可能とする建築プラン受注システムが提案されている。
【０００４】
特許文献２には、建築主端末装置からのアクセスに応じて、新築建物受注センターのサーバにおいて、建築主による外観、間取り等の建築仕様の指定に基づいて候補となる建物のモデル画像を生成して建築主に提示し、建築主からの見積要求を受け付けて、工務店端末装置に見積要求を転送し、工務店端末装置から受信した見積情報を建築主端末装置に送信するシステムが提案されている。
【０００５】
特許文献３には、住宅外壁の建材の選定に関して、サーバ装置が、顧客側装置から住宅の画像イメージを取得し、この住宅イメージに建材イメージを付加した合成イメージを顧客側装置に提供することで、顧客が住宅外壁の建材デザインについて自由なシミュレーションを行うことを可能とするシミュレーションシステムが提案されている。
【先行技術文献】
【特許文献】
【０００６】
【特許文献１】特開２００５-２０９１２６号公報
【特許文献２】特開２００２−１３３２０４号公報
【特許文献３】特開２００４−１２６７５８号公報
【発明の概要】
【発明が解決しようとする課題】
【０００７】
新築住宅の購入者の属性は様々であるが、特に注文住宅に関しては、結婚を機に新築住宅の購入を決定する購入者は相当数に上る。結婚により新たな生活をスタートするにあたって、自らのライフスタイルに合わせた住居を求める傾向が強いものと考えられる。
しかしながら、一方で、結婚に際しては、結婚式や披露宴、パーティーなどの婚礼行事、新婚旅行、転居、転職、挨拶回りなど当事者は極めて多忙である中、他方でこれと並行して様々な検討事項、打ち合わせ事項をクリアしなければならない注文住宅の発注を行うのは大変な困難を伴うものと考えられる。
【０００８】
本発明は、このような実情に鑑みてなされたものであり、結婚を機に注文住宅を新築しようと考える需要者から、結婚式や披露宴、パーティーなどの婚礼行事の発注と注文住宅の発注とを同時に一括して受注することができるウェディング住宅建築受注システムを提供しようとするものである。
【課題を解決するための手段】
【０００９】
上記解決課題に鑑みて鋭意研究の結果、本発明者は、コンピュータネットワークを利用して、建築主端末、各種の住宅建設業者（建築士、工務店、住宅建設会社など）コンピュータ、婚礼業者コンピュータと通信可能な受注サーバを設置し、この受注サーバにおいて建築主の希望条件に基づく建築プラン／婚礼行事プランの作成、建築プラン／婚礼行事プランのコンピュータシミュレーション、建築プラン／婚礼行事プランに基づく建築費用見積り、住宅建築及び婚礼行事の一括受注、住宅建築及び婚礼行事の進行管理、費用支払の一括決済を行う包括的なシステムを構築することに想到した。
【００１０】
すなわち、本発明は、ネットワークを通じて通信可能な受注サーバ、１又は２以上の建設業者サーバ、１又は２以上の婚礼業者サーバから構成されるコンピュータシステムであって、前記受注サーバは、ユーザ端末からの住宅建築に関する希望条件の入力に応じて、前記建設業者サーバから取得されるデータに基づき、建築プランを作成する建築プラン作成部と、ユーザ端末からの婚礼行事に関する希望条件の入力に応じて、前記婚礼業者サーバから取得されるデータに基づき、婚礼行事プランを作成する婚礼行事プラン作成部と、ユーザ端末から指示に応じて、前記建築プラン作成部により作成された建築プラン及び前記婚礼行事プラン作成部により作成された婚礼行事プランに基づいた住宅建築及び婚礼行事催行を一括受注する受注処理部とを有することを特徴とするウェディング住宅建築受注システムを提供するものである。
【００１１】
本発明のウェディング住宅建築受注システムにおいて、前記受注サーバは、前記建築プラン作成部により作成された建築プランのシミュレーションを前記ユーザ端末において利用可能な形式で提供する建築シミュレーション部と、前記婚礼行事プラン作成部により作成された婚礼行事プランのシミュレーションを前記ユーザ端末において利用可能な形式で提供する婚礼行事シミュレーション部とを有することを特徴とする。
【００１２】
本発明のウェディング住宅建築受注システムにおいて、前記受注サーバは、前記建築プラン作成部により作成された建築プランに基づく住宅建築の費用見積り及び前記婚礼行事プラン作成部により作成された婚礼行事の費用見積りを作成し前記ユーザ端末に提示する見積り作成部を有することを特徴とする。
【００１３】
本発明のウェディング住宅建築受注システムにおいて、前記受注サーバの見積り作成部は、前記建築プラン作成部により作成された建築プランに含まれる情報を前記建設業者サーバに送信し、当該建設業者サーバから費用見積りの基礎となるデータを取得して住宅建築の費用見積りを作成し、前記婚礼行事プラン作成部により作成された婚礼行事プランに含まれる情報を前記婚礼業者サーバに送信し、当該婚礼業者サーバから費用見積りの基礎となるデータを取得して婚礼行事の費用見積りを作成することを特徴とする。
【００１４】
本発明のウェディング住宅建築受注システムにおいて、前記受注サーバは、前記建築プラン作成部により作成された建築プラン及び前記婚礼行事プラン作成部により作成された婚礼行事プランに基づいて、前記受注処理部により受注した住宅建築の施工及び婚礼行事の催行の進行を管理する進行管理部を有することを特徴とする。
【００１５】
本発明のウェディング住宅建築受注システムにおいて、前記受注サーバは、前記受注処理部により受注した住宅建築及び婚礼行事催行の費用支払の決済処理を行う決済処理部を有することを特徴とする。
【００１６】
本発明のウェディング住宅建築受注システムにおいて、前記建築プラン作成部による建築プランの作成においては、ユーザ端末により、少なくとも住宅の間取り、工法、材料、設備、内装、外装に関する希望を指定されることを特徴とする。
【００１７】
本発明のウェディング住宅建築受注システムにおいて、前記婚礼行事プラン作成部による婚礼行事プランの作成においては、ユーザ端末により、少なくとも婚礼行事の開催日時、会場、参加者数、様式、予算に関する希望を指定されることを特徴とする。
【発明の効果】
【００１８】
以上、説明したように、本発明によれば、コンピュータネットワークを利用して、建築主端末、各種の住宅建設業者（建築士、工務店、住宅建設会社など）コンピュータ、婚礼業者コンピュータと通信可能な受注サーバを設置し、この受注サーバにおいて建築主の希望条件に基づく建築プラン／婚礼行事プランの作成、建築プラン／婚礼行事プランのコンピュータシミュレーション、建築プラン／婚礼行事プランに基づく建築費用見積り、住宅建築及び婚礼行事の一括受注、住宅建築及び婚礼行事の進行管理、費用支払の一括決済を行う包括的なウェディング住宅建築受注システムが提供される。
【図面の簡単な説明】
【００１９】
【図１】本発明の一実施形態にかかるウェディング住宅建築受注システムの概要を示す図である。
【図２】図１に示す受注サーバの内部構成を概略的に示す図である。
【図３】図１及び図２に示す受注サーバがユーザ端末からのアクセスに応じて行う処理の流れを概略的に示すフロー図である。
【図４】図１及び図２に示す受注サーバがユーザ端末からのアクセスに応じて処理を行う際の受注サーバの各機能部と、ユーザ端末及び各種サーバとの通信形態を概略的に示すシーケンス図である。
【発明を実施するための形態】
【００２０】
以下、添付図面を参照しながら、本発明のウェディング住宅建築受注システムを実施するための最良の形態を詳細に説明する。図１〜図４は、本発明の実施の形態を例示する図であり、これらの図において、同一の符号を付した部分は同一物を表わし、基本的な構成及び動作は同様であるものとする。
【００２１】
ウェディング住宅建築受注システムの構成
図１は、本発明の一実施形態にかかるウェディング住宅建築受注システムの概要を示す図である。
図１において、受注サーバ、複数の建設業者サーバ、複数の婚礼業者サーバ、決済サーバ及び複数のユーザ端末がインターネットを通じて互いに通信可能な状態で接続されている。本実施形態のウェディング住宅建築受注システムは、本システムの管理者が保有し管理する受注サーバが中心となって、建設業者サーバ、婚礼業者サーバ、決済サーバ、ユーザ端末のそれぞれと情報通信を行い、情報処理を行うことでその諸機能が実現されるものである。
【００２２】
図２は、図１に示す受注サーバの内部構成を概略的に示す図である。
図２において、
【００２３】
受注サーバは、ユーザ（建築主）の属性情報などを記憶するユーザ情報データベース、本システムに参加する建設業者の属性情報などを記憶する建設業者情報データベース、本システムに参加する婚礼業者の属性情報などを記憶する婚礼業者情報データベース、本システムにおいて受注した住宅建築及び婚礼行事の受発注に関する情報を記憶する受発注情報データベースからなるデータベース群を有している。
また、受注サーバは、ユーザ登録処理部、建築プラン作成部、婚礼行事プラン作成部、建築シミュレーション部、婚礼行事シミュレーション部、見積り作成部、受注処理部、進行管理部、決済処理部からなるソフトウェア群を有している。この他、受注サーバは一般的な記憶装置や通信処理部、入出力処理部などを備えている。
【００２４】
図１に示す建設業者サーバは、建築プランの作成に必要となる数値、計算式、テキスト、画像など一切のデータを蓄積しており（図示せず）、受注サーバからの要求に応じて送信する。
図１に示す婚礼業者サーバは、婚礼行事プランの作成に必要となる数値、計算式、テキスト、画像など一切のデータを蓄積しており（図示せず）、受注サーバからの要求に応じて送信する。
図１に示す決済サーバは、金融機関などによって運営されており、建築主と受注者である建設業者ないしは婚礼業者との間での取引の決済を実行する。尚、受注サーバが決済サーバを兼ねる構成としてもよい。
【００２５】
ユーザ端末は、建築主が保有又は使用するコンピュータ端末であり、典型的には、インターネット通信が可能なパーソナルコンピュータあるいはスマートフォンやタブレットＰＣなどの携帯端末である。建築主は、ユーザ端末を用いて受注サーバにアクセスし、受注サーバ上の各種ソフトウェアを利用することにより、住宅建築及び婚礼行事のプラン選定や、発注、進行管理、決済などを行うことができる。
【００２６】
ウェディング住宅建築受注システムの動作
本実施形態のウェディング住宅建築受注システムの全体的な動作の概要として、まず、図１及び図２に示す受注サーバがユーザ端末からのアクセスに応じて行う処理の流れを説明する。
図３は、図１及び図２に示す受注サーバがユーザ端末からのアクセスに応じて行う処理の流れを概略的に示すフロー図である。図４は、その際の受注サーバの各機能部と、ユーザ端末及び各種サーバとの通信形態を概略的に示すシーケンス図である。
【００２７】
図３及び図４において、まず、建築主はユーザ端末を用いて受注サーバにアクセスし、ユーザ端末の登録を行う。受注サーバのユーザ登録処理部は、ユーザ端末からの入力により、建築主の氏名、住所、連絡先等の情報のほか、希望する住宅建築／婚礼行事の時期的条件、地域的条件、予算的条件、支払いに関する条件などをユーザ情報データベースに登録する。以後、建築主（以下、「ユーザ」という）はユーザ端末を用いて、本システムの登録ユーザとして本システムを利用することとなる。
【００２８】
続いて、ユーザは、受注サーバにアクセスして、建築プランの作成又は婚礼行事プランの作成を行う。
建築プランの作成は、受注サーバの建築プラン作成部がユーザからの諸条件の入力に基づいて作成する。例えば、ユーザが間取り、工法、材料、設備、内装、外装などの仕様に関する希望を指定し、建築プラン作成部が建設業者サーバから取得する各種データを基に建築プランを作成し、ユーザに提示する。
婚礼行事プランの作成は、受注サーバの婚礼行事プラン作成部がユーザからの諸条件の入力に基づいて作成する。例えば、ユーザが開催日時、会場、参加者数、様式、予算などの希望を指定し、婚礼行事プラン作成部が婚礼業者サーバから取得する各種データを基に婚礼行事プランを作成し、ユーザに提示する。
【００２９】
ユーザは、受注サーバの建築シミュレーション部／婚礼行事シミュレーション部を利用して、上記のようにして作成された建築プラン／婚礼行事プランに基づき、住宅建築／婚礼行事催行のシミュレーションを行うことができる。
受注サーバの建築プラン作成部、婚礼行事プラン作成部、建築シミュレーション部、婚礼行事シミュレーション部は、ぞれぞれ、特許文献１〜３に記載されているような従来の技術に基づいて構成される。
ユーザは、住宅建築／婚礼行事催行のシミュレーションを行った後、再度建築プランの作成又は婚礼行事プランの作成を再実行することもできる。
【００３０】
ユーザは、上記で作成した建築プラン及び婚礼行事プランについて見積り作成を要求することができる。ユーザからの見積り作成要求に対して、受注サーバの見積り作成部は、上記で作成した建築プラン及び婚礼行事プランの一括受注にかかる見積りを作成しユーザに提示する。ここで、見積り作成部は、建築プラン及び婚礼行事プランのデータに基づき独自の計算方法で見積りを算出してもよいが、建築プラン及び婚礼行事プランのデータを建設業者サーバ及び婚礼業者サーバに送信し、それらに対する見積り情報を受信して見積り作成を行っても良い。
ユーザは、提示された見積りを見て、発注に進むことも、再度建築プランの作成又は婚礼行事プランの作成に戻ることもできる。
【００３１】
ユーザが上記で作成した建築プラン及び婚礼行事プランについて見積り作成後に発注処理を行うと、受注サーバの受注処理部が当該プラン及び当該見積額の条件にて住宅建築及び婚礼行事催行を一括受注する。受注処理部は、受注に関する情報を建設業者サーバ及び婚礼業者サーバに送信し、建設業者及び婚礼業者によって、住宅の建築及び婚礼行事催行がそれぞれ開始される。
【００３２】
住宅の建築及び婚礼行事催行の進行中には、常時、建設業者サーバ及び婚礼業者サーバから受注サーバに進行状況などに関する情報が送信され、受注サーバの進行管理部は、住宅の建築及び婚礼行事催行それぞれの進行を管理し、ユーザは進行管理部を利用してそれぞれの進行具合を確認することができる。
【００３３】
住宅の建築及び婚礼行事催行が完了した後、受注サーバの決済処理部が決済サーバを利用して代金の一括決済を行うことができる。このようにして、ユーザは、本実施形態のウェディング住宅建築受注システムを利用して、住宅の建築及び婚礼行事催行を、プラン作成から実行、決済まで一括して行うことができるようになっている。
【００３４】
以上、本発明のウェディング住宅建築受注システムについて、具体的な実施の形態を示して説明したが、本発明はこれらに限定されるものではない。当業者であれば、本発明の要旨を逸脱しない範囲内において、上記各実施形態における各種サーバコンピュータの構成及び機能に様々な変更・改良を加えることが可能である。
【００３５】
例えば、建設業者サーバは、設計業者サーバと施工業者サーバに分かれており、設計業者サーバが建築プラン作成及び建築シミュレーションを、施工業者サーバが建築の進行管理をそれぞれ行う構成としてもよい。また、特許文献１〜３に記載の従来技術その他の類似技術を応用して各構成要件を適宜改良することができる。
【産業上の利用可能性】
【００３６】
図１、図２等に示すように、本発明のウェディング住宅建築受注システムを構成する建築主端末、各種の住宅建設業者サーバ、婚礼業者サーバ、受注サーバは、コンピュータのＣＰＵ、メモリ、補助記憶装置、ディスプレイ、入力デバイス等を含むハードウェア資源上に構築されたＯＳ、アプリケーションソフトウェア、データベース、ネットワークシステム等によって実現されるものである。
【００３７】
そして、建築主の希望条件に基づく建築プラン／婚礼行事プランの作成、建築プラン／婚礼行事プランのコンピュータシミュレーション、建築プラン／婚礼行事プランに基づく建築費用見積り、住宅建築及び婚礼行事の一括受注、住宅建築及び婚礼行事の進行管理、費用支払の一括決済という情報処理が上記のハードウェア資源を用いて具体的に実現されるものであるから、自然法則を利用した技術的思想に該当するものであり、産業上利用することができるものである。
【図１】
2016001375.tif 000003
【図２】
2016001375.tif 000004
【図３】
2016001375.tif 000005
【図４】
2016001375.tif 000006